(57)【要約】【課題】東洋人の筋肉の使い方、腰掛け方等を考慮して、着座者の座骨結節に合わせて座面部を可動変化させて着座者が骨盤を安定させて姿勢正しく座ることができるようにし、かつ、着座した状態でインナーマッスルを鍛えることの可能な椅子を提供することを課題とする。【解決手段】  本発明の椅子は、着座者に対して左右に二分割した一対の座面部を備え、着座者の座骨結節の間隔に合わせて一対の前記座面部を離隔する離隔手段を設けたことを特徴とする。【選択図】図１
2005052317.tif 000002
【特許請求の範囲】
【請求項１】
着座者に対して左右に二分割した一対の座面部を備え、着座者の座骨結節の間隔に合わせて一対の前記座面部を離隔する離隔手段を設けたことを特徴とする椅子。
【請求項２】
着座者に対して一対の前記座面部を山型もしくは谷型に傾斜させる傾斜手段を設けたことを特徴とする請求項１記載の椅子。
【請求項３】
着座者に対して前方または後方にそれぞれの前記座面部を傾斜させる前後傾斜手段を設けたことを特徴とする請求項１または２記載の椅子。
【請求項４】
前記座面部を、上下に移動させる上下移動手段を設けたことを特徴とする請求項１乃至３のいずれかに記載の椅子。
【請求項５】
前記椅子に背もたれ部を設け、前記背もたれ部を着座者に対して左右に二分割したことを特徴とする請求項１乃至４のいずれかに記載の椅子。
【発明の詳細な説明】
【技術分野】
【０００１】
本発明は、椅子の座面部を可動変化させることにより、着座者の骨盤の安定性を高めるとともに、着座者の姿勢を矯正することの可能な椅子に関する。
【背景技術】
【０００２】
近年においては、事務用椅子、介護用椅子、治療用椅子、家庭用椅子、勉強用椅子等の各種椅子は、人間工学的見地からそれぞれの目的に応じて様々な形状のものが開発されている。例えば、介護用の椅子として、ジャッキアップペダルと連係する油圧機構等によって前後方向に傾斜角度の可変可能な中割れ座面を備えた椅子（特許文献１）や、頸部骨折者のために、着座者に対して左右の高さが異なる座面を備えた椅子（特許文献２、３）等が開示されている。これらの椅子は、特に、介護用、身体障害者用等、特殊な用途を目的とする椅子であるが、その他、健常者の使用する椅子としても、固定的な着座状態における筋肉への圧迫や鬱血等を防止するため、内部に設けたバネ手段等により、揺動および垂直移動が可能な一対の可動座面部を設けた椅子が開示されている（特許文献４）。
【特許文献１】特開平８−２２４２７６号公報
【特許文献２】実用新案登録第３０４７８５７号公報
【特許文献３】特開平２００２−２３８６９０号公報
【特許文献４】特表２００１−５１７５１４号公報
【発明の開示】
【発明が解決しようとする課題】
【０００３】
しかしながら、前記特許文献１乃至４に記載の椅子は、着座者の利便性、快適性を追求したものであり、快適性とともに、日本人特有の筋肉の状態等を考慮して、姿勢を矯正させる構造のものではなかった。
一般に東洋人は、股間節の構造が黒人、白人等の西洋人と異なり、東洋人は、後方に倒れないようにするために、大腿部の前にある大腿四頭筋を使う癖があると言われている。一方、西洋人は、方に倒れないようするために、大腿部の後側にあるハムストリングといわれる大腿二頭筋を使う傾向があるといわれている。ハムストリングは、腰椎の両脇に位置する筋肉である腸腰筋と連結しており、このような骨に近い内側の筋肉（インナーマッスル）を意識的に使うことで、背中が伸びて姿勢が矯正され、運動能力も高まるといわれている。
このように、西洋人と東洋人とでは筋肉の使い方に差があるため、椅子の腰掛け方も異なり、西洋人は、椅子に深く腰掛け、座骨で座る傾向があると言われている。一方で、東洋人は、椅子に浅く腰掛け、尾てい骨で座る傾向があると言われている。このため、東洋人が椅子に座ると、前に重心を置く前屈みの姿勢となり、いわゆる猫背になりやすく、姿勢が悪くなる。
そこで、本発明は、東洋人の筋肉の使い方、腰掛け方等を考慮して、着座者の座骨結節に合わせて座面部を可動変化させて着座者が骨盤を安定させて姿勢正しく座ることができるようにし、かつ、着座した状態でインナーマッスルを鍛えることの可能な椅子を提供することを課題とする。
【課題を解決するための手段】
【０００４】
本発明の椅子は、前記課題を達成するべく、請求項１に記載の通り、着座者に対して左右に二分割した一対の座面部を備え、着座者の座骨結節の間隔に合わせて一対の前記座面部を離隔する離隔手段を設けたことを特徴とする。
また、請求項２記載の椅子は、請求項１記載の椅子において、着座者に対して一対の前記座面部を山型もしくは谷型に傾斜させる傾斜手段を設けたことを特徴とする。
また、請求項３記載の椅子は、請求項１または２記載の椅子において、着座者に対して前方または後方にそれぞれの前記座面部を傾斜させる前後傾斜手段を設けたことを特徴とする。
また、請求項４記載の椅子は、請求項１乃至３のいずれかに記載の椅子において、前記座面部を、上下に移動させる上下移動手段を設けたことを特徴とする。
また、請求項５記載の椅子は、前記請求項１乃至４のいずれかに記載の椅子において、前記椅子に背もたれ部を設け、前記背もたれ部を着座者に対して左右に二分割したことを特徴とする。
【発明の効果】
【０００５】
本発明の椅子は、着座者に対して左右に二分割した一対の座面部を備え、この座面部を着座者の座骨結節の間隔に合わせて離隔するする離隔手段を設けている。通常着座した場合に、人の体を支えてくれる部分は、臀部の二つの頂点部分となる座骨結節であるといわれている。本発明の椅子は、着座者の座骨結節部位に合わせて座面部を離隔することが可能であり、離隔した座面部を着座者が跨いで座ることにより、着座者に座骨結節部位で座っていることを明確に意識させるとともに、着座者が骨盤を正しく据えた、相撲の四股ふみに見られるような状態で、上体の重量を正しく支えた姿勢で着座することができ、着座者の姿勢の矯正が可能となる。
また、本発明の椅子は、傾斜手段を設けたために、着座者に対して一対の前記座面部を山型もしくは谷型に傾斜させることができ、着座者の体調に合わせて、着座者の臀部の座骨結節に当たる座面部の位置を変化させることができ、快適な着座が可能となる。
また、本発明の椅子は、前後傾斜手段を設けたために、着座者に対して前記座面部を前方または後方に傾斜させることができ、着座者が座った状態で、自然に大腿部内側のハムストリングを使用して大腿部を持ち上げ、ハムストリングに連結する腸腰筋を働かせることになり、自然な状態でインナーマッスルを鍛えることができる。
さらに、本発明の椅子は、前記座面部を上下に移動させる上下移動手段を設けたため、背骨が側湾している場合に、側湾している方の座骨結節に当たる座面部を高く、他方を低くすることで、着座者の健康状態に合わせて安定した状態で快適に着座することができる。
また、本発明の椅子に背もたれ部を設け、前記背もたれ部を着座者に対して左右に二分割したため、着座者の背中が二点で支持され、背骨の動きの自由度が向上するとともに、体をひねる運動時に使用される内外腹斜筋が支えられるため、着座者が安定した状態で快適に着座することができる。
【発明を実施するための最良の形態】
【０００６】
本発明の椅子１の実施例を図面に基づき詳細に説明する。なお、本発明の椅子は、以下の実施例に限定されるものではない。
図１乃至図７は、本発明の椅子１の一実施例を示す図である。
図１乃至図７に示すように、本発明の椅子１は、着座者に対して左右に二分割した一対の座面部２ａ，２ｂを備え、座面部２ａ，２ｂを支持する支柱部２ｃ，２ｄの下部に、着座者の座骨結節の間隔に合わせて座面部２ａ，２ｂを離隔する離隔手段３を設けている。また、椅子１は、脚部４と背もたれ部５とを備えている。
前記隔離手段３は、左右逆方向ネジ溝が切られたネジ棒３ａと、前記ネジ棒３ａに螺合された座面部２ａ，２ｂの支柱部２ｃ，２ｄに設けられたフランジ部３ｂ，３ｃと、ハンドル３ｄを備えている。図４に示すように、ハンドル３ｄを一方向に回転すると、座面部２ａ，２ｂの間隔が離れ、ハンドル３ｄを反対方向に回転すると、座面部２ａ，２ｂの間隔が近づくようになっている。
このように、椅子１は、着座者の座骨結節の間隔に合わせて、座面部２ａ，２ｂを離隔して、座面部２ａ，２ｂの間隔を適宜設定することができる。着座者は、自分の座骨結節に合わせて離れている部分を跨いで、一対の座面部２ａ，２ｂに座ることになり、着座者が座骨結節部位で座っていることを明確に意識することができる。また、着座者は、離れている一対の座面部２ａ，２ｂを跨いで座ることで、骨盤を正しく据えた、相撲の四股ふみに見られるような状態で、上体の重量を正しく支えた姿勢で着座することができるため、着座者の姿勢が矯正される。
【０００７】
また、椅子１は、一対の座面部２ａ，２ｂを山型もしくは谷型に傾斜させる傾斜手段として、一対の座面部２ａ，２ｂを着座者に対して山型もしくは谷型に傾斜させる調節ネジ６を設けている。この調節ネジ６を左右に回転させることにより、図５または図６に示すように、一対の座面部２ａ，２ｂを着座者に対して山型もしくは谷型に傾斜させることができる。このように、座面部２ａ，２ｂを傾斜させることができると、着座者のその日の体調等によって着座者の座骨結節に当たる位置を変化させることができ、着座者の体調に合わせて、快適に座ることができる。
【０００８】
また、椅子１は、一対の座面部２ａ，２ｂを着座者に対して前方または後方に傾斜させる前後傾斜手段として、前後傾斜調節ネジ７を設けている。この前後傾斜調節ネジ７を回転させることにより、図３に示すように、座面部２ａ，２ｂを着座者に対して、前方または後方に傾斜させることができる。座面部２ａ，２ｂが前方に傾斜していると、着座者が座った状態で、自然に大腿部内側のハムストリングを使用して大腿部を持ち上げ、ハムストリングに連結する腸腰筋を働かせることになり、自然な状態でインナーマッスルを鍛えることができる。また、座面部２ａ，２ｂが後方に傾斜していると、着座者が安定して椅子１に腰掛けることができる。
【０００９】
また、椅子１の座面部２ａ，２ｂを着座者に対して、山型もしくは谷型に傾斜させる傾斜手段、または、座面部２ａ，２ｂを着座者に対して前方もしくは後方に傾斜させる前後傾斜手段の他の実施例として、図８および図９に示すように、座面部２ａ，２ｂと支柱部２ｃ，２ｄの結合部位にボールジョイント９を設け、座面部２ａ，２ｂの下面に、傾斜させた座面部２ａ，２ｂを下方から支持する支持ネジ１０を設けることも可能である。この支持ネジ１０を、ボールジョイント９を中心として、前後左右に四本設け、着座者に対して山型もしくは谷型に傾斜させた座面部２ａ，２ｂ、または、着座者に対して前方もしくは後方に傾斜させた座面部２ａ，２ｂを座面部２ａ，２ｂの裏面から安定に支持している。
【００１０】
さらに、椅子１は、座面部２ａ，２ｂを上下に移動させる上下移動手段として、座面部２ａ，２ｂを支持する支柱部２ｃ，２ｄにシリンダー機構を設けている。支柱部２ｃ，２ｄに設けた操作レバー８を引き上げることにより、前記シリンダー機構により、座面部２ａもしくは座面部２ｂを上方に移動させることができ、座面部２ａ，２ｂに加重をかけて、操作レバー８を引き上げることにより、座面部２ａもしくは座面部２ｂを下方に移動させることができる。このような座面部２ａ，２ｂを上下に移動させる上下移動手段により、座面部２ａ，２ｂをそれぞれ異なる高さとなるように調節することができ、背骨の側湾によって骨盤が左右に歪んでいる場合に、側湾している方の座骨結節に当たる座面部を高く、他方を低くすることで、歪んだ骨盤の座骨結節部位に合わせて上下に高さの異なる座面部２ａ，２ｂに座ることができ、着座者の頭が傾くことなく、着座者の体調に合わせて快適に着座することができる。
【００１１】
また、本発明の椅子１の他の実施例として、図１０に示すように、椅子１は、背もたれ部５を設け、この背もたれ部５を着座者に対して二分割している。このように、着座者に対して左右に二分割した背もたれ部５，５を設けると、着座者の背中が二点で支持されるため、着座者の背骨の動きの自由度が向上するとともに、体をひねる運動時に使用される内外腹斜筋が支えられるため、着座者が安定した状態で快適に着座することができる。
【００１２】
なお、座面部２ａ，２ｂを離隔する離隔手段、傾斜手段、前後傾斜手段、上下移動手段は、前述の実施例に記載した手段に限られるものではなく、空気圧機構、油圧機構、磁気機構、モータ機構等種々の機構を用いることが可能である。なお、椅子に座るという座の意識を高めるためには、幼年期から本発明の椅子を用いることが好ましく、学校で用いる児童用の椅子として好適である。また、座面部は、精神的な安定が生まれ、温かみを感じ、長期間使い込むことによって味わいがでてくる、木材を使用することが好ましい。
【図面の簡単な説明】
【００１３】
【図１】本発明の椅子の一実施例を示す正面図。
【図２】図１に示す椅子の背面図。
【図３】図１に示す椅子の座面部を前後に傾斜させる状態を示す側面図。
【図４】図１に示す椅子の座面部を離隔した状態を示す正面図。
【図５】図１に示す椅子の座面部を山型に傾斜した状態を示す正面図。
【図６】図１に示す椅子の座面部を谷型に傾斜した状態を示す正面図。
【図７】図１に示す椅子の座面部を高さを変化させた状態を示す正面図。
【図８】本発明の椅子の他の実施例を示す正面図。
【図９】図８に示す椅子の側面図。
【図１０】本発明の椅子の他の実施例を示す正面図。
【符号の説明】
【００１４】
１          椅子
２ａ，２ｂ  座面部
２ｃ，２ｄ  支柱部
３          離隔手段
３ａ        ネジ棒
３ｂ，３ｃ  フランジ部
３ｄ        ハンドル
４          脚部
５          背もたれ部
６          調節ネジ
７          前後傾斜調節ネジ
８          操作レバー
９          ボールジョイント
１０        支持ネジ
【図１】
2005052317.tif 000003
【図２】
2005052317.tif 000004
【図３】
2005052317.tif 000005
【図４】
2005052317.tif 000006
【図５】
2005052317.tif 000007
【図６】
2005052317.tif 000008
【図７】
2005052317.tif 000009
【図８】
2005052317.tif 000010
【図９】
2005052317.tif 000011
【図１０】
2005052317.tif 000012